(57)【要約】【課題】施工後の鉄筋コンクリート柱の任意の高さ位置に鉄骨小梁を接合して床を設置する作業を容易化する。【解決手段】予め、上下鉄骨大梁２の間における鉄筋コンクリート柱１の全長に渡って該鉄筋コンクリート柱１の外面１２に平坦状の表面側３２が表出され、かつ、定着部材４を突設した裏面側３１が鉄筋コンクリート柱１に埋設された鋼製の接合部材３を備えている。これにより、鉄筋コンクリート柱１の全長に渡る接合部材３の任意の位置にガセットプレート５を介して鉄骨小梁６を溶接接合することが可能になるため、鉄筋コンクリート柱１の施工後において、鉄筋コンクリート柱１の任意の高さ位置に鉄骨小梁６を接合して床１０を設置する作業を容易化することができる。【選択図】        図６
2008127763.tif 000002
【特許請求の範囲】
【請求項１】
予め、上下大梁間における鉄筋コンクリート柱の全長に渡って該鉄筋コンクリート柱の外面に平坦状の表面側が表出され、かつ、定着部材を突設した裏面側が前記鉄筋コンクリート柱に埋設された鋼製の接合部材を備えたことを特徴とする建物躯体。
【請求項２】
鋼製の接合部材の平坦状の表面側を上下大梁間における鉄筋コンクリート柱の全長に渡って該鉄筋コンクリート柱の外面に表出させ、かつ、定着部材を突設した前記接合部材の裏面側を前記鉄筋コンクリート柱に埋設させて前記鉄筋コンクリート柱を成形する工程と、
前記接合部材の表面側に鋼製の固定部材を溶接接合し、該固定部材に固定した鉄骨小梁を介して床を設置する工程と
を含むことを特徴とする床の施工方法。
【発明の詳細な説明】
【技術分野】
【０００１】
本発明は、施工後の鉄筋コンクリート柱に、床を支持する鉄骨小梁を任意の位置に接合可能とする建物躯体および床の施工方法に関するものである。
【背景技術】
【０００２】
鉄筋コンクリート柱・鉄骨梁造の建物躯体は、圧縮に強い鉄筋コンクリート柱と、曲げに強い鉄骨梁とを組み合わせることで、鉄骨柱・鉄骨梁造の建物躯体と比較して、柱を減らして柱間の床スペースを広く用いることができ、かつ、柱に軸鉄骨を使用しないことから低コストで施工できる。そのような鉄筋コンクリート柱・鉄骨梁造の建物は、床スペースを広く用いる倉庫等に好適に用いられる（例えば、特許文献１参照）。
【０００３】
【特許文献１】特開平１０−２８０５４２号公報
【発明の開示】
【発明が解決しようとする課題】
【０００４】
倉庫等に設置される設備としては、リフトやコンベア等の物流機器がある。物流機器には、荷物の移動、保管、荷役等を行うための機能や、運用によって様々な形態のものがある。そして、物流機器を設置する建物においては、物流機器の形態に合わせて床スペースに関わる柱の位置や、床の高さに関わる梁の高さ位置を決めて設計される。ところが、物流機器は、倉庫等の設備として重要であり機器性能を十分に検討してから選択されることから、その決定までに時間を要する場合がある。そのような場合、物流機器の決定を待っては、計画した工事期間内で建物を施工することが困難になる。そこで、物流機器を設置する床スペースを先に設計して建物躯体の鉄筋コンクリート柱および鉄骨大梁の施工を先行し、その間に決定した物流機器の高さ寸法や物流機器の運用に応じて床の高さ位置を設計し、施工後の鉄筋コンクリート柱に鉄骨小梁を接合して床の設置を行う要望がある。この要望に応えるには、施工後の鉄筋コンクリート柱の任意の高さ位置に鉄骨小梁を接合する必要がある。
【０００５】
しかし、鉄筋コンクリート柱・鉄骨梁造の建物躯体においては、施工後の鉄筋コンクリート柱に対して、その任意の高さ位置に鉄骨小梁を接合して床を設置することは困難である。例えば、鉄骨小梁を接合する部位の鉄筋コンクリート柱のコンクリートを切削し、そこに鉄骨小梁の端部を接合してコンクリートを打設する作業では手間がかかり、現実的ではない。
【０００６】
本発明は、上記実情に鑑みて、施工後の鉄筋コンクリート柱の任意の高さ位置に鉄骨小梁を接合して床を設置する作業を容易化することのできる建物躯体および床の施工方法を提供することを目的とする。
【課題を解決するための手段】
【０００７】
上記の目的を達成するために、本発明の請求項１に係る建物躯体は、予め、上下大梁間における鉄筋コンクリート柱の全長に渡って該鉄筋コンクリート柱の外面に平坦状の表面側が表出され、かつ、定着部材を突設した裏面側が前記鉄筋コンクリート柱に埋設された鋼製の接合部材を備えたことを特徴とする。
【０００８】
本発明の請求項２に係る床の施工方法は、鋼製の接合部材の平坦状の表面側を上下大梁間における鉄筋コンクリート柱の全長に渡って該鉄筋コンクリート柱の外面に表出させ、かつ、定着部材を突設した前記接合部材の裏面側を前記鉄筋コンクリート柱に埋設させて前記鉄筋コンクリート柱を成形する工程と、前記接合部材の表面側に鋼製の固定部材を溶接接合し、該固定部材に固定した鉄骨小梁を介して床を設置する工程とを含むことを特徴とする。
【発明の効果】
【０００９】
本発明に係る建物躯体は、予め、上下大梁間における鉄筋コンクリート柱の全長に渡って該鉄筋コンクリート柱の外面に平坦状の表面側が表出され、かつ、定着部材を突設した裏面側が鉄筋コンクリート柱に埋設された鋼製の接合部材を備えたことにより、上下大梁間における鉄筋コンクリート柱の全長に渡る接合部材の任意の位置に鉄骨小梁を溶接接合することが可能になるため、鉄筋コンクリート柱の施工後において、鉄筋コンクリート柱の任意の高さ位置に鉄骨小梁を接合して床を設置する作業を容易化することができる。
【００１０】
本発明に係る床の施工方法は、鋼製の接合部材の平坦状の表面側を上下大梁間における鉄筋コンクリート柱の全長に渡って該鉄筋コンクリート柱の外面に表出させ、かつ、定着部材を突設した接合部材の裏面側を鉄筋コンクリート柱に埋設させて鉄筋コンクリート柱を成形しておき、この鉄筋コンクリート柱の接合部材の表面側に鋼製の固定部材を溶接接合して、該固定部材に固定した鉄骨小梁を介して床を設置する。これにより、上下大梁間における鉄筋コンクリート柱の全長に渡る接合部材には、任意の位置に固定部材が接合され、該固定部材に固定した鉄骨小梁を介して上下大梁間における鉄筋コンクリート柱の全長に渡る任意の位置に床を設置することが可能になる。このため、鉄筋コンクリート柱の施工後において、鉄筋コンクリート柱の任意の高さ位置に床を設置する作業を容易化することができる。
【発明を実施するための最良の形態】
【００１１】
以下に添付図面を参照して、本発明に係る建物躯体および床の施工方法の好適な実施の形態を詳細に説明する。
【００１２】
図１は本発明の実施の形態における建物躯体を示す要部拡大側面図、図２は図１における鉄筋コンクリート柱の横断面図、図３は本発明の実施の形態における建物躯体を示す概略図である。図１〜図３に示すように本実施の形態における建物躯体は、鉄筋コンクリート柱１と鉄骨大梁２とを接合して構成されるものである。
【００１３】
鉄筋コンクリート柱１と鉄骨大梁２との接合は、周知の接合構造を採用することができる。例えば、図には明示しないが、鉄筋コンクリート柱１の鉄筋１１（図２参照）に、鉄骨大梁２の鉄骨基部を組み合わせ、そこに設置した型枠内にコンクリートを打設することにより、鉄筋コンクリート柱１に鉄骨基部が固定される。そして、該鉄骨基部に鉄骨大梁２の端部をボルトで固定することにより、鉄筋コンクリート柱１と鉄骨大梁２とが接合される。
【００１４】
鉄筋コンクリート柱１には、接合部材３が予め定着されている。接合部材３は、長手状に形成された鋼製の板材として構成されている。接合部材３の裏面側３１には、定着部材４が突設してある。定着部材４は、スタットボルトや鉄筋等であり、接合部材３の裏面側３１に溶接接合され、該接合部材３の長手方向および短手方向に複数並設されている。
【００１５】
接合部材３は、鉄筋コンクリート柱１を成形する際に、その長手方向を鉄筋コンクリート柱１の上下方向に延在させて鉄筋１１（主筋１１ａおよび帯筋１１ｂ）と共に配置される。そして、接合部材３および鉄筋１１を囲む型枠（図示せず）内にコンクリートを打設することにより、定着部材４を突設した接合部材３の裏面側３１が鉄筋コンクリート柱１に埋設される。定着部材４は、図２に示すように鉄筋コンクリート柱１に埋設され、かつ、鉄筋１１の帯筋１１ｂよりも鉄筋コンクリート柱１の内方に延在して配置されることにより、後述の鉄骨小梁６および床１０を支持する支持力を接合部材３に付与して該接合部材３を鉄筋コンクリート柱１に定着させる。
【００１６】
鉄筋コンクリート柱１に定着された接合部材３は、後に途中階床１０（以下、床という。）を設置する範囲であって、例えば図１および図３に示すように上下鉄骨大梁２の間において、鉄筋コンクリート柱１の全長に渡って、該鉄筋コンクリート柱１の外面１２に平坦状に形成された表面側３２が表出される。この接合部材３は、床１０を設置する際に、該床１０を支持する鉄骨小梁６の端部が接合されるものであり、鉄骨小梁６の端部が接合される鉄筋コンクリート柱１にそれぞれ定着してある。
【００１７】
図３に示すように本実施の形態における建物躯体は、接合部材３が予め定着された鉄筋コンクリート柱１と、鉄骨大梁２とが接合された形態で、接合部材３を介して床１０が設置される。図４〜図６は床を施工する工程を示す図である。
【００１８】
まず、図４および図２に示すように接合部材３の表面側３２に、鋼製の板材から成る固定部材としてのガセットプレート５を溶接接合する。ガセットプレート５は、その縁が接合部材３に溶接接合され、接合部材３の表面側３２から突出するように配置される。ガセットプレート５には、後の工程で鉄骨小梁６を固定するためのボルト（図示せず）を挿通する挿通孔５ａが設けてある。このガセットプレート５は、接合部材３の表面側３２に溶接接合されることから、上下鉄骨大梁２の間において鉄筋コンクリート柱１の全長に渡る接合部材３の任意の位置に接合することが可能である。
【００１９】
次に、図５および図２に示すようにガセットプレート５に、鉄骨小梁６の端部を固定する。鉄骨小梁６は、Ｈ形鋼であって、そのウエブ６１の端部にガセットプレート５の挿通孔５ａと合致する挿通孔６ａが設けてある。この鉄骨小梁６のウエブ６１をガセットプレート５に添わせ、挿通孔６ａをガセットプレート５の挿通孔５ａに合致させて、これら挿通孔５ａ，６ａにボルト（図示せず）を挿通して締め着けることにより鉄骨小梁６の端部がガセットプレート５に固定される。鉄骨小梁６は、その両端部が各接合部材３に溶接接合したガセットプレート５に固定されて、鉄筋コンクリート柱１の間に架設される。
【００２０】
次に、図６に示すように鉄筋コンクリート柱１の間に架設された鉄骨小梁６に床１０を設置する。
【００２１】
このように、上述した建物躯体では、予め、上下鉄骨大梁２の間における鉄筋コンクリート柱１の全長に渡って該鉄筋コンクリート柱１の外面１２に平坦状の表面側３２が表出され、かつ、定着部材４を突設した裏面側３１が鉄筋コンクリート柱１に埋設された鋼製の接合部材３を備えている。これにより、鉄筋コンクリート柱１の全長に渡る接合部材３の任意の位置にガセットプレート５を介して鉄骨小梁６を溶接接合することが可能になるため、鉄筋コンクリート柱１の施工後において、鉄筋コンクリート柱１の任意の高さ位置に鉄骨小梁６を接合して床１０を設置する作業を容易化することができる。
【００２２】
そして、上述した建物躯体を用いた床の施工方法では、鋼製の接合部材３の平坦状の表面側３２を上下鉄骨大梁２の間における鉄筋コンクリート柱１の全長に渡って該鉄筋コンクリート柱１の外面１２に表出させ、かつ、定着部材４を突設した接合部材３の裏面側３１を鉄筋コンクリート柱１に埋設させて鉄筋コンクリート柱１を予め成形しておき、この鉄筋コンクリート柱１の接合部材３の表面側３２に鋼製のガセットプレート（固定部材）５を溶接接合して、該ガセットプレート５に固定した鉄骨小梁６を介して床１０を設置する。これにより、鉄筋コンクリート柱１の全長に渡る接合部材３には、任意の位置にガセットプレート５が接合され、このガセットプレート５に固定した鉄骨小梁６を介して鉄筋コンクリート柱１の全長に渡る任意の位置に床１０を設置することが可能になるため、鉄筋コンクリート柱１の施工後において、鉄筋コンクリート柱１の任意の高さ位置に床１０を設置する作業を容易化することができる。
【００２３】
また、上記建物躯体は、鉄筋コンクリート柱・鉄骨梁造の建物躯体であることから、物流機器を設置する倉庫として好適に用いることが可能である。その上、床１０を施工後の鉄筋コンクリート柱１の任意の高さ位置に容易に設置できることから、物流機器が決定する以前に物流機器を設置する床スペースを先に設計して鉄筋コンクリート柱１および鉄骨大梁２の施工を先行し、その間に決定した物流機器の高さ寸法や物流機器の運用に応じて床１０の高さ位置を設計し、施工後の鉄筋コンクリート柱１に鉄骨小梁６を接合して床１０の設置を行う要望に応えることが可能である。また、上記建物躯体は、鉄筋コンクリート柱・鉄骨梁造として説明したが、鉄筋コンクリート造、鉄骨鉄筋コンクリート造などにも使用可能である。すなわち、大梁については鉄骨梁に限らず、例えば大梁を鉄筋コンクリート梁などの他の構造形式とすることもできる。
【００２４】
ところで、軸鉄骨を有する鉄骨鉄筋コンクリート柱においては、該柱の全長に渡って軸鉄骨の一部を表出させることで鉄骨小梁６を溶接接合することが可能であるが、軸鉄骨の使用によって建物費用が嵩むことになる。上述した建物躯体では、接合部材３により鉄筋コンクリート柱１の任意の高さ位置に鉄骨小梁６を接合するものであるから、軸鉄骨を削減して建設費用を低減することが可能になる。
【００２５】
なお、上述した実施の形態において、接合部材３を板材として説明したがこの限りではない。例えば、図７に示す接合部材３′のように断面形状がコ字形を成し、コ字形の閉塞側を表面側３２′、コ字形の開口側を裏面側３１′として、裏面側３１′である開口側の端部に定着部材４を突設させた構成としてもよい。このように構成することにより、接合部材の強度を増すことができる。
【００２６】
また、図には明示しないが、接合部材３（３′）は、長手方向の端部が鉄骨大梁２に接続されていてもよい。このように構成することにより、接合部材３（３′）の強度を増すことができる。なお、接合部材３（３′）を鉄骨大梁２に接続した場合でも、接合部材３（３′）に対して鉄骨小梁６および床１０を支持する支持力を付与するため定着部材４は必要である。
【図面の簡単な説明】
【００２７】
【図１】本発明の実施の形態における建物躯体を示す要部拡大側面図である。
【図２】図１における鉄筋コンクリート柱の横断面図である。
【図３】本発明の実施の形態における建物躯体を示す概略図である。
【図４】床を施工する工程を示す図である。
【図５】床を施工する工程を示す図である。
【図６】床を施工する工程を示す図である。
【図７】接合部税の他の実施の形態を示す断面図である。
【符号の説明】
【００２８】
１    鉄筋コンクリート柱
１１    鉄筋
１１ａ    主筋
１１ｂ    帯筋
１２    外面
２    鉄骨大梁
３，３′    接合部材
３１，３１′    裏面側
３２，３２′    表面側
４    定着部材
５    ガセットプレート（固定部材）
５ａ    挿通孔
６    鉄骨小梁
６１    ウエブ
６ａ    挿通孔
１０    床
【図１】
2008127763.tif 000003
【図２】
2008127763.tif 000004
【図３】
2008127763.tif 000005
【図４】
2008127763.tif 000006
【図５】
2008127763.tif 000007
【図６】
2008127763.tif 000008
【図７】
2008127763.tif 000009